(57)【要約】【課題】引戸とその開閉手段とを接続する部材が貫通され、その貫通箇所を介して開閉手段が配置される空間の内外が連通されるよう配置される引戸用横部材であって、貫通箇所から空間内を見え難くすることができる引戸用横部材の提供。【解決手段】引戸用横部材である鴨居１は、下面に溝２３が形成され、この溝２３の底面に建具接続材通路２４が貫通形成されている。鴨居１は、引戸２の開閉手段３の収容部１１に設けられる。開閉手段３には、建具接続材４を介して引戸２が吊り下げられる。この際、建具接続材４の板状部３８が前記通路２４を貫通し、引戸２の上端部が鴨居１の溝２３に入れられている。前記通路２４が溝２３よりも上側に配置されると共に、前記通路２４の幅が引戸２の厚さよりも小さく形成されることで、鴨居１の引戸２が配置されていない箇所において、鴨居１を見上げた際に収容部１１内を見え難くすることができる。【選択図】図２
2016216921.tif 000002
【特許請求の範囲】
【請求項１】
引戸がその開閉手段に建具接続材により接続される引戸構造に用いられ、前記引戸の上方または下方に配置される引戸用横部材であって、
前記引戸が移動自在に通過する溝が形成され、この溝の底面に前記溝に沿うようにして、前記引戸の厚さよりも小さい幅を有する建具接続材通路が貫通して形成されており、
前記開閉手段が配置される空間の内外が前記建具接続材通路を介して連通されるよう配置され、
前記建具接続材が前記建具接続材通路に貫通した状態で配置され、前記開閉手段により、前記建具接続材が前記建具接続材通路に沿って移動しつつ前記引戸が前記溝を移動して、前記引戸の開閉がなされる
ことを特徴とする引戸用横部材。
【請求項２】
前記建具接続材は、板状部を有し、この板状部が前記建具接続材通路を貫通しつつ前記建具接続材通路に沿って配置される
ことを特徴とする請求項１に記載の引戸用横部材。
【請求項３】
前記引戸用横部材は、板状に形成され、
前記溝および前記建具接続材通路は、その深さ方向が前記引戸用横部材の板厚方向へ沿うよう形成されており、
前記溝の深さが前記建具接続材通路の深さよりも深く形成されている
ことを特徴とする請求項１または請求項２に記載の引戸用横部材。
【発明の詳細な説明】
【技術分野】
【０００１】
本発明は、引戸の上方または下方に配置される引戸用横部材に関するものであり、たとえば、鴨居または敷居とされる引戸用横部材に関するものである。特に、住宅に設置される引戸に適用される引戸用横部材に関するものである。
【背景技術】
【０００２】
下記特許文献１には、その図１に示されるように、建物の出入口に設けられる自動扉であって、ベースレールの上側レールの上面に回動自在に吊車が嵌合され、その吊車が吊具に接続され、その吊具に引戸本体が吊下げられている自動扉が開示されている。この自動扉では、ベースレール、上側レール、吊車、吊具および引戸本体の上端部が中空状のカバーにて覆われており、そのカバーの下方への開口部を介して、引戸本体が下方へ延出して吊下げられている。
【先行技術文献】
【特許文献】
【０００３】
【特許文献１】特開２００１−２２７２３５号公報
【発明の概要】
【発明が解決しようとする課題】
【０００４】
しかしながら、前記特許文献１に開示された自動扉では、引戸本体の上端部がカバーにて覆われる構成とされているため、カバーの下方への開口部は、幅が引戸本体の厚さよりも大きく形成され、長さが引戸本体の移動範囲と対応する長さに形成されている。このため、引戸本体が開けられた際、カバーの下方への開口部から、カバー内に収容されているベースレールなどの引戸本体の駆動機構、仕上げを施していない下地部分や構造躯体などの建物内部が見えてしまい、意匠性の悪いものであった。
【０００５】
前記特許文献１に開示された自動扉では、駆動機構が扉の上端部に配置されていたが、駆動機構がカバー内に収容されて扉の下端部に配置された自動扉もある。この場合、カバーの上方への開口部を介して、扉が上方へ延出して設けられることになり、扉の開放時に前記開口部から建物内部が見えてしまっていた。
【０００６】
本発明は、このような問題に鑑みてなされたものであり、その主たる目的は、引戸とその開閉手段とを接続する部材が貫通され、その貫通箇所を介して開閉手段が配置される空間の内外が連通されるよう配置される引戸用横部材であって、簡易な構成で、貫通箇所から空間内を見え難くすることで、意匠性を改善することができる引戸用横部材を提供することにある。
【課題を解決するための手段】
【０００７】
上記目的を達成するための本発明に係る引戸用横部材は、引戸がその開閉手段に建具接続材により接続される引戸構造に用いられ、前記引戸の上方または下方に配置される引戸用横部材であって、前記引戸が移動自在に通過する溝が形成され、この溝の底面に前記溝に沿うようにして、前記引戸の厚さよりも小さい幅を有する建具接続材通路が貫通して形成されており、前記開閉手段が配置される空間の内外が前記建具接続材通路を介して連通されるよう配置され、前記建具接続材が前記建具接続材通路に貫通した状態で配置され、前記開閉手段により、前記建具接続材が前記建具接続材通路に沿って移動しつつ前記引戸が前記溝を移動して、前記引戸の開閉がなされることを特徴とする。
【０００８】
また、本発明に係る引戸用横部材は、前記建具接続材は、板状部を有し、この板状部が前記建具接続材通路を貫通しつつ前記建具接続材通路に沿って配置されることを特徴とする。
【０００９】
さらに、本発明に係る引戸用横部材は、板状に形成され、前記溝および前記建具接続材通路は、その深さ方向が前記引戸用横部材の板厚方向へ沿うよう形成されており、前記溝の深さが前記建具接続材通路の深さよりも深く形成されていることを特徴とする。
【発明の効果】
【００１０】
本発明に係る引戸用横部材によれば、それに形成される溝に引戸が入れられていることで、引戸用横部材と引戸との間に隙間が生じない。そのため、引戸を介して隣接する一方の空間と他方の空間との間において、前記隙間を介して、一方の空間から他方の空間へ光が漏れることを防止することができる。また、溝の底面に建具接続材通路が形成されることで、貫通形成される建具接続材通路が溝よりも奥側（開閉手段が配置される空間側）に配置されることになり、引戸が配置されていない箇所において、建具接続材通路を目立ち難くすることができる。これに加えて、建具接続材通路の幅が引戸の厚さよりも小さく形成されることで、引戸が配置されていない箇所において、建具接続材通路をより目立ち難くすることができる。このようにして、建具接続材通路が奥側に配置されると共に、建具接続材通路の幅が引戸の厚さよりも小さく形成されることで、隣接する空間を行き来する通行者から、開閉手段が配置される空間内を見え難くすることができる。
【００１１】
建具接続材が板状部を有することで、開閉手段に引戸が安定して接続され、引戸の開閉時の引戸のがたつきを抑制することができる。また、建具接続材の板状部が建具接続材通路を貫通しつつ建具接続材通路に沿って配置されることで、建具接続材通路の幅を建具接続材の板状部が接触することなく移動可能な程度の幅とすることができ、建具接続材通路の幅をより小さくすることができる。すなわち、本発明に係る引戸用横部材によれば、引戸の安定を損なうことなく、建具接続材通路の幅をより小さくすることができる。
【００１２】
さらに、本発明に係る引戸用横部材によれば、溝の深さが建具接続材通路の深さよりも深く形成されることで、建具接続材通路をより奥側に配置することができ、引戸が配置されていない箇所において、建具接続材通路をさらに目立ち難くすることができる。しかも、そのような構成を板状の引戸用横部材でなすことができるため、通常用いられる引戸用横部材の厚さとほぼ同一の厚さの引戸用横部材を用いることができる。そのため、取付けスペースをとらない。
【図面の簡単な説明】
【００１３】
【図１】本発明の引戸用横部材の一実施例の使用状態を室内側から見た概略正面図であり、一部を断面にして示すと共に一部を省略して示している。
【図２】図１の引戸用横部材の概略左側面図であり、一部を断面にして示すと共に一部を省略して示している。
【図３】図１の引戸用横部材の縦断面図である。
【発明を実施するための形態】
【００１４】
以下、本発明の具体的実施例を図面に基づいて詳細に説明する。
【００１５】
図１から図３は、本発明の引戸用横部材の一実施例を示す図であり、図１は使用状態を室内側から見た概略正面図、図２は概略左側面図、図３は縦断面図である。なお、図１および図２は、一部を断面にして示すと共に一部を省略して示している。ここでは、住宅に設置される自動ドアであって、吊り下げられた扉を移動させる引戸式の自動ドアに適用される引戸用横部材である鴨居の場合について説明する。本実施例の鴨居１は、片引き式の引戸２がその開閉手段３に建具接続材４により接続される引戸構造に適用され、引戸１の上方に左右方向へ沿って配置される。
【００１６】
引戸２は、上下方向が長手方向とされる長方形の板状とされ、上面には左右方向へ沿って凹形状の溝部５が形成され、下面には下方へ延出して板状の差込部６が左右方向へ沿って形成されている。引戸２は、後述する開閉手段３により、住宅の部屋の出入口に左右方向へ移動可能に設けられる。本実施例では、部屋の出入口は、その高さが部屋の高さよりも低く形成されている。図１に示されるように、部屋の出入口では、左端部に上下方向へ沿って左枠材７が設けられると共に、右端部に上下方向へ沿って右枠材８が設けられ、左枠材７の上端部と右枠材８の上端部とが左右方向へ沿って設けられる鴨居１にて接続される。部屋の出入口は、右側半分が中空状の壁体１０により閉じられ、左側半分が開口されており、この開口部が引戸２によって開閉される。引戸２の開閉は、鴨居１の上方の空間に配置される開閉手段３にてなされる。図２に示されるように、引戸２の開閉手段３は、鴨居１と天井との間の空間である収容部１１内に配置される。
【００１７】
収容部１１は、左右方向を長手方向とする略矩形の中空ボックス状に形成されており、図２に示されるように下方への開口部１２が形成されている。本実施例の収容部１１の上壁は、左右方向へ沿って配置される板材１３にて構成されている。収容部１１の前壁は、板材１４が板材１３に対して直交すると共に左右方向へ沿って配置され、その板材１４の前面が下端部を残して化粧板１５にて覆われて構成される。収容部１１の後壁は、板材１６が板材１３に対して直交すると共に左右方向へ沿って配置され、その板材１６の後面が下端部を残して化粧板１７にて覆われて構成される。収容部１１の下壁では、上壁を構成する板材１３よりも幅の小さい板材１８が、左右方向へ沿って設けられる。この際、板材１８は、後壁から前方へ延出するようにして設けられる。板材１８の下面には、前後両端部を残して化粧板１９が設けられ、板材１８の上面には、板状の補強合板２０が設けられる。収容部１１の左壁および右壁は、それぞれ板材から構成されている。図２に示されるように、後壁と下壁との角部には、断面略Ｌ字形状の化粧板２１が設けられる。このようにして、収容部１１は、下方への開口部１２を有する中空ボックス状に形成される。前述した収容部１１において、左壁および右壁のない場合もある。このときは、収容部１１が左右方向へ開口した筒状に形成される。なお、収容部１１は、前述した構成に限定されるものではなく、適宜に変更可能である。
【００１８】
収容部１１には、その開口部１２を閉塞するようにして、左右方向を長手方向とする長方形の板状の鴨居１が設けられる。本実施例では、鴨居１は、木製とされるが、これに限定されるものではなく、たとえば、鉄製やアルミ製であってもよい。鴨居１の前端部の上面には、前壁の係合溝２２が下方へ凹んで形成されている。鴨居１の下面には、前後方向略中央部に、左右方向へ沿うようにして、断面四角形状の溝２３が上方へ凹んで形成されている。この溝２３は、引戸２の上端部が入れられた状態で移動自在に通過できるように、その幅が引戸２の幅よりも大きく形成されている。溝２３の底面には、左右方向へ沿って、細長い建具接続材通路２４が鴨居１を貫通するよう形成されている。この建具接続材通路２４の幅ａは、引戸２の厚さｂよりも小さく形成されており、たとえば、引戸２の厚さｂの約０．５倍とされている。図示例では、建具接続材通路２４の幅ａが約２０ｍｍとされ、引戸２の厚さｂが約４０ｍｍとされている。このようにして、溝２３および建具接続材通路２４は、その深さ方向が鴨居１の板厚方向へ沿うように形成されている。本実施例では、溝２３の深さｃが建具接続材通路２４の深さｄよりも深く形成されており、たとえば、溝２３の深さｃが建具接続材通路２４の深さｄの約２．３倍とされている。図示例では、溝２３の深さｃが約２５ｍｍとされ、建具接続材通路２４の深さｄが約１１ｍｍとされている。
【００１９】
図２に示されるように、鴨居１は、係合溝２２に前壁の板材１４の下端部が差し込まれると共に、後面が下壁の板材１８の前面に当接した状態で、収容部１１に固定される。固定状態では、建具接続材通路２４を介して、収容部１１の内外が連通されている。なお、収容部１１には、断面略Ｌ字形状の化粧板２１と下壁の化粧板１９との隙間２５に上端部が差し込まれて下方へ延出した薄板状の壁材２６と、下壁の化粧板１９と鴨居１の後面との隙間２７に上端部が差し込まれて下方へ延出した薄板状の壁材２８とにより、前述した壁体１０が形成される。
【００２０】
このようにして固定された鴨居１に沿って、開閉手段３により、引戸２が移動可能とされている。開閉手段３は、駆動源であるモータ２９と、モータ２９の駆動軸に回転可能に設けられる駆動プーリ３０と、収容部１１内に設けられる軸部に回転可能に設けられる従動プーリ３１と、駆動プーリ３０および従動プーリ３１に掛け回されるベルト３２とを備える。図２に示されるように、鴨居１の上面にネジなどで固定される支持材３３に、モータ２９および従動プーリ３１などが固定される。この際、図１に示されるように、モータ２９および駆動プーリ３０が右端部に配置されると共に、従動プーリ３１が左端部に配置され、左右に離隔して配置された両プーリ３０，３１にベルト３２が掛け回される。
【００２１】
また、開閉手段３は、引戸２を懸架するハンガー材３４と、ハンガー材３４とベルト３２とを連結する連結材３５と、ハンガー材３４に設けられる戸車３６と、戸車３６の走行路であるレール３７とを備える。本実施例では、ハンガー材３４，３４は、引戸２の上端部に左右へ離隔して設けられる。各ハンガー材３４は、板材からなる板状部３８の上下両端部に板片３９，４０が設けられた断面略Ｉ字形の建具接続材４を介して、引戸２に固定される。具体的には、ハンガー材３４の下端部と建具接続材４の上側の板片３９とが固定されると共に、建具接続材４の下側の板片４０が引戸２の溝部５の底面にネジなどで固定される。この際、建具接続材４は、その板状部３８の板面が前後方向に対して直交するよう配置される。各ハンガー材３４には、それぞれ別の戸車３６が設けられ、これらの戸車３６，３６が支持材３３に固定されるレール３７上に載せ置かれる。これにより、引戸２が吊り下げられた状態とされる。図１に示されるように、左側に配置されるハンガー材３４と連結材３５とはボルトナットなどで互いに固定され、その連結材３５は先端部がベルト３２に固定される。なお、開閉手段３は、前述した構成に限定されるものではなく、適宜に変更可能である。
【００２２】
このようにして、開閉手段３は、鴨居１の上面に支持材３３を介して固定されて、収容部１１内に配置される。また、引戸２は、開閉手段３に接続されて吊り下げられ、収容部１１から下方へ延出して設けられる。この際、建具接続材４の板状部３８が建具接続材通路２４を貫通しつつ建具接続材通路２４に沿って配置され、引戸２の上端部が鴨居１に形成された溝２３に入れられている。本実施例では、建具接続材通路２４の幅ａは、建具接続材４の板状部３８が建具接続材通路２４の内面に接触することなく移動可能な程度の幅とされており、たとえば、板状部３８の幅の約３．３倍とされている。図示例では、建具接続材通路２４の幅ａが前述したように約２０ｍｍとされ、建具接続材４の板状部３８の幅が約６ｍｍとされている。なお、引戸２の下端部に形成された差込部６は、床面Ｆに形成された凹形状のスライド溝４１に左右方向へスライド可能に差し込まれている。
【００２３】
このような構成により、モータ２９を駆動させて駆動プーリ３０を正面から見て時計方向へ回転させることで、ベルト３２を時計方向へ回転させることができ、これにより、戸車３６がレール３７上を左方向へ走行しつつ、連結材３５、ハンガー材３４および建具接続材４を介してベルト３２に連結された引戸２を左方向へ移動させることができる。これとは逆に、モータ２９を駆動させて駆動プーリ３０を正面から見て反時計方向へ回転させることで、引戸２を右方向へ移動させることができる。従って、開閉手段３により、建具接続材４の板状部３８が建具接続材通路２４に沿って移動しつつ引戸２が溝２３を移動して引戸２の開閉がなされ、部屋の出入口を開閉することができる。
【００２４】
本実施例の鴨居１によれば、溝２３内に引戸２の上端部が入れられている。すなわち、引戸２の上端部を覆う構成とされていることで、鴨居１下面と引戸２上面との間に隙間が生じない。従って、引戸２が閉じられている際、その隙間を介して、室内側から室外側へ、または室外側から室内側へ光が漏れることを防止することができる。
【００２５】
また、本実施例の鴨居１によれば、溝２３の底面に建具接続材通路２４が貫通形成されることで、建具接続材通路２４が溝２３よりも上側に配置されることになり、鴨居１の引戸２が配置されていない箇所において、下から鴨居１を見上げた際に建具接続材通路２４を目立ち難くすることができる。これに加えて、建具接続材通路２４の前後幅ａが引戸２の厚さｂよりも小さく形成されることで、鴨居１の引戸２が配置されていない箇所において、下から鴨居１を見上げた際に建具接続材通路２４をより目立ち難くすることができる。さらにこれに加えて、本実施例では、建具接続材通路２４の前後幅ａが建具接続材４の板状部３８が移動可能な程度の幅とされることで、建具接続材通路２４の幅をさらに小さくすることができ、鴨居１の引戸２が配置されていない箇所において、下から鴨居１を見上げた際に建具接続材通路２４をより一層目立ち難くすることができる。従って、室内側から室外側へ、または室外側から室内側へ移動する通行者が見上げた際に、収容部１１内を見え難くすることができる。すなわち、簡易な構成で、仕上げが施されていない板材１３，１４，１６の裏面や、収容部１１内に配置される開閉手段３などを見え難くすることができ、意匠性を改善することができる。
【００２６】
さらに、本実施例の鴨居１によれば、溝２３の深さｃが建具接続材通路２４の深さｄよりも深く形成されることで、建具接続材通路２４をより上側に配置することができる。これにより、鴨居１の引戸２が配置されていない箇所において、下から鴨居１を見上げた際に建具接続材通路２４をさらに目立ち難くすることができる。しかも、鴨居１が板状に形成されており、これにより通常用いられる鴨居と同一厚さのものを用いることができ、取付けスペースをとらない。すなわち、取付けスペースを増大させることなく、収容部１１内を見え難くすることができる。
【００２７】
本発明は、前記実施例の構成に限らず、適宜変更可能である。たとえば、前記実施例では、自動ドアに適用される鴨居１とされたが、手動で扉の開閉を行う吊下げ式の引戸に適用される鴨居であってもよい。すなわち、開閉手段は、自動で引戸を移動させて開閉させる手段であってもよいし、手動で引戸を移動させて開閉させる手段であってもよい。また、前記実施例では、引戸２の上端部に配置される引戸用横部材である鴨居１とされたが、床面に配置される引戸用横部材である敷居であってもよい。この場合、引戸の開閉手段が床内に配置され、敷居を貫通した建具接続材により、引戸が開閉手段に接続される。この開閉手段は、引戸の下端部に接続されて引戸を移動させて開閉させる手段であればよい。なお、敷居の場合も、自動または手動で開閉する引戸とされる。また、前記実施例では、片引き式の引戸２に用いられる鴨居１とされたが、これに限定されるものではなく、たとえば、引き違い式の引戸に用いられる鴨居や敷居である引戸用横部材であってもよい。この場合、鴨居や敷居には、各引戸に対応して、溝および建具接続材通路が形成される。
【００２８】
また、前記実施例では、溝２３の深さｃが建具接続材通路２４の深さｄよりも深く形成されたが、これとは逆に、建具接続材通路の深さを溝の深さよりも深く形成してもよい。この場合、板状の鴨居において、建具接続材通路の深さを溝の深さよりも深く形成してもよいし、建具接続材通路と対応する内穴を有する筒状部を上方へ延出して形成することで、建具接続材通路の深さを溝の深さよりも深く形成してもよい。また、前記実施例では、建具接続材通路２４の幅ａは、約２０ｍｍとされたが、これに限定されるものではなく、建具接続材４の板状部３８が建具接続材通路２４の内面に接触することなく移動可能な程度の幅であるのが好ましく、たとえば、約１０〜約２０ｍｍとされるのが好ましい。
【００２９】
また、前記実施例では、建具接続材４が板状部３８を有する構成とされたが、これに限定されるものではなく、たとえば、引戸２とその開閉手段３とが棒状部を有する建具接続材により接続されてもよい。この場合、棒状部が建具接続材通路２４を貫通するよう配置される。建具接続材通路２４を貫通する部材を棒状に形成することで、建具接続材通路２４の幅を小さくすることができる。
【００３０】
また、前記実施例では、開閉手段３が配置される空間として収容部１１とされたが、これに限定されるものではなく、たとえば、鴨居１と天井との間の壁内部を前記空間としてもよい。この場合、壁内部に開閉手段３が配置され、壁内部とその外部が鴨居１の建具接続材通路２４を介して連通されている。さらに、前記実施例では、部屋の出入口の高さが部屋の高さよりも低く形成されたが、部屋の出入口が床から天井までの高さを有していてもよい。この場合、開閉手段３が配置される空間は天井内部とされ、この天井内部とその外部が、引戸用横部材１の建具接続材通路２４を介して連通している。このようにして空間内を見え難くすることで、開閉手段３や、壁下地、天井下地および構造部材などを見え難くすることができる。
【符号の説明】
【００３１】
１  鴨居（引戸用横部材）
２  引戸
３  開閉手段
４  建具接続材
１１  収容部（空間）
２３  溝
２４  建具接続材通路
３８  板状部
ａ  建具接続材通路の幅
ｂ  引戸の厚さ
ｃ  溝の深さ
ｄ  建具接続材通路の深さ
【図１】
2016216921.tif 000003
【図２】
2016216921.tif 000004
【図３】
2016216921.tif 000005